(57)【要約】【課題】消耗品の消耗時期を予め知ることで、操作性、生産性を向上するプリント処理システムを提供することである。【解決手段】写真プリントを作成するための画像データをオーダー単位で保存するオーダーデータ保存部と、新規オーダーに係るオーダーデータをオーダーデータ保存部６ａに登録・保存させるためのオーダー登録部５ａと、オーダーデータをオーダー登録部５ａに登録するに際し、オーダーのプリント処理の順番を、優先度、オーダー受付順序に基づいて設定するプリント順序設定部５ｅと、所定の消耗品の消耗時期を算出する消耗時期算出部５ｊと、算出された消耗時期に基づいてオーダーのプリント処理の順番に関連づけるように、消耗品に関する操作を予め示す操作予告情報を表示手段に表示させる表示制御部５ｋとを備えていることを特徴とする。【選択図】図２
2007095003.tif 000002
【特許請求の範囲】
【請求項１】
写真プリントを作成するための画像データをオーダー単位で保存するオーダーデータ保存部と、
新規オーダーに係るオーダーデータをオーダーデータ保存部に登録・保存させるためのオーダー登録部と、
オーダーデータをオーダー登録部に登録するに際し、オーダーのプリント処理の順番を、優先度、オーダー受付順序に基づいて設定するプリント順序設定部と、
所定の消耗品の消耗時期を算出する消耗時期算出部と、
前記算出された消耗時期に基づいて前記オーダーのプリント処理の順番に関連づけるように、消耗品に関する操作を予め示す操作予告情報を表示手段に表示させる表示制御部と、
を備えていることを特徴とするプリント処理システム。
【請求項２】
前記オーダーデータは、
少なくともプリント枚数及びプリントサイズのデータを有するプリントデータを含み、
前記消耗時期算出部は、
前記プリントデータに基づいて、所定の消耗品の消耗時期を算出することを特徴とする請求項１に記載のプリント処理システム。
【請求項３】
前記プリント順序設定部で設定されたオーダーのプリント処理の順番が変更された場合に、当該消耗品の消耗時期を再算出する第１再算出部をさらに備え、
前記表示制御部は、
前記第１再算出部によって再算出された消耗時期に基づいて、前記消耗品の操作予告情報を表示手段に表示させることを特徴とする請求項１又は請求項２に記載のプリント処理システム。
【請求項４】
前記消耗時期以外に所定の消耗品に関する操作を行った場合に、当該消耗品の消耗時期を再算出する第２再算出部をさらに備え、
前記表示制御部は、
前記第２再算出部によって再算出された消耗時期に基づいて、前記消耗品の操作予告情報を表示手段に表示させることを特徴とする請求項１から請求項３のいずれか１項に記載のプリント処理システム。
【発明の詳細な説明】
【技術分野】
【０００１】
本発明は、所定の消耗品（例えば、ペーパー、現像液等）の消耗時期を算出し、その消耗時期に基づいて消耗品に関する操作指示を予め表示手段に表示させるプリント処理システムに関するものである。
【背景技術】
【０００２】
写真プリントを作成するプリント処理システムにおいては、適宜の画像形成媒体から画像データを取得し、オーダー単位でオーダーデータ保存部に一旦保存される。ここで、１オーダーとは、ネガフィルム１本に含まれる画像データ、記録メディア１個に格納される画像データのことを指す。プリント処理の注文が多い場合は、オーダーデータ保存部に多数のオーダーが登録され、設定されたプリント順序に従い登録されたオーダーについてプリント処理が行なわれていく。
【０００３】
ここで設定されたプリント順序とは、通常はオーダーを受け付けた順序であり、早く受け付けたオーダーほど早くプリント処理が行われるように設定される。また、プリント処理の仕上がり納期に関して、顧客から指定されることもあり、登録されるオーダーの順番はオーダーの受付順序だけではなく、仕上がりの優先度も考慮して設定する必要がある。
【０００４】
以上のようにプリント処理システムにおいては、登録されたオーダー順序に従って、オーダー単位にプリント処理が実行されていく。
【０００５】
さて、写真感光材料であるペーパーは、ロール状に収容されたペーパーマガジンとして写真処理装置にセットされている。プリント処理されるに従いペーパーは消費されていき、ペーパーの送り出された長さをペーパー送り長さ検出手段（例えば、マガジンの回転数検出するロータリーエンコーダーや、センサー等）によって検出され、ペーパー交換時期が判定され、オペレータに通知（音出力、画面に表示）されていた。そして、オペレータは、その通知によりペーパーの残り長さが少なくペーパーの交換時期になったことをはじめて知るものであった。
【０００６】
また、露光処理されたペーパーは、現像処理されるが、この現像処理液は、現像処理の回数が増加するにつれて減少していくため、適宜補充する必要がある。さらに、現像液は、現像処理能力が限定されているため、所定期間現像処理に用いられると新しい現像液と交換され、交換された古い現像液は廃液として回収される必要がある。従来の装置は、現像液を補充する時期や、廃液として回収する時期を、その時期になって初めて通知するようになっていた。
【発明の開示】
【発明が解決しようとする課題】
【０００７】
上述したように、従来のプリント処理システムでは、ペーパー交換、現像液の補充、廃液処理は、その状態になって初めて、通知するものであったために、オペレータは常にシステムの前で待機していなければならず、そして、通知の後に、それぞれの処理・操作をする必要があり、操作性、生産性ともに悪いものであった。
【０００８】
なお、現像液の補充や廃液処理については、現像液のタンクを外部から目視することが可能なように構成することもできるが、目視できた現像液の量や外観から、それらの処理・操作を行うタイミングは、熟練度を要し、経験の浅い人が、適切な処理・操作時期を判断することは困難であった。
【０００９】
本発明は上記実情に鑑みてなされたものであり、その課題は、消耗品の消耗時期を予め知ることで、操作性、生産性を向上するプリント処理システムを提供することである。
【課題を解決するための手段】
【００１０】
上記課題を解決するため本発明に係るプリント処理システムは、
写真プリントを作成するための画像データをオーダー単位で保存するオーダーデータ保存部と、
新規オーダーに係るオーダーデータをオーダーデータ保存部に登録・保存させるためのオーダー登録部と、
オーダーデータをオーダー登録部に登録するに際し、オーダーのプリント処理の順番を、優先度、オーダー受付順序に基づいて設定するプリント順序設定部と、
所定の消耗品の消耗時期を算出する消耗時期算出部と、
前記算出された消耗時期に基づいて前記オーダーのプリント処理の順番に関連づけるように、消耗品に関する操作を予め示す操作予告情報を表示手段に表示させる表示制御部と、
を備えていることを特徴とするものである。
【００１１】
かかるプリント処理システムの作用・効果を説明する。オーダーデータ保存部には、オーダーデータがオーダー単位で保存される。
【００１２】
新規オーダーをオーダーデータ保存部に登録する場合には、プリント順序設定部によりプリント順序が設定され、優先度やオーダー受付順序に基づいて順番が設定される。例えば、早く受け付けたものほど早くプリント処理され、高優先度オーダーは低優先度オーダーに優先して順序が設定される。すなわち、プリント処理の対象となる画像データは、オーダーデータ保存部に保存された後、プリント処理が行われることになるため、オーダーデータ保存部にデータが保存できないとプリント処理を行うことができない仕組みとなっている。
【００１３】
消耗時期算出部は、所定の消耗品の消耗時期を算出する。所定の消耗品は、例えば、写真感光材料のペーパー、現像液、裏印字手段であるインクジュットプリンタ等のインク、装置の消耗部品等である。
【００１４】
そして、算出された消耗時期に基づいて、操作予告情報が表示手段（モニター等）に表示制御部によって表示される。かかる表示において、操作予告情報は、プリント順序設定部により設定されたプリント順序のオーダーと関連付けて表示される。例えば、算出された消耗時期と、あるプリント待ち状態のオーダーの仕上がり時刻とが近い場合には、操作予告情報がそのオーダー番号の表示位置に表示される、或いはオーダーの行の上に表示される。
【００１５】
「操作予告情報」は、例えば、絵、図、マーク、文字、それらの組み合わせでもよく、消耗品に関する操作（例えば、ペーパー交換、現像液の補充、廃液の回収、消耗部品の交換、定期メンテナンス等）を予めオペレータに示す情報である。
【００１６】
以上の構成によって、オペレータは、消耗品に関する操作（例えば、ペーパー交換、現像液の補充、廃液の回収等）の時期を、予め知ることができる。そして、オペレータは、その表示を知ることで、操作予告情報に関連付けられたオーダーが処理される時刻まで、システムから離れることができ、かかる操作の事前準備、他の操作、処理等を自由に行えるようになり、操作性、生産性が飛躍的に改善される。
【００１７】
本発明において、オーダーデータは、少なくともプリント枚数及びプリントサイズのデータを有するプリントデータを含み、消耗時期算出部は、プリントデータに基づいて、所定の消耗品の消耗時期を算出することは好ましい実施態様である。
【００１８】
この構成によれば、オーダーデータには少なくとも画像データと、プリントデータが含まれる。プリントデータは、少なくともプリントサイズ又はプリント枚数のデータが含まれる。そして、消耗時期算出部は、プリントデータに基づいて所定の消耗品の消耗時期を算出することができる。これによって、消耗品のセット時から所定の期間として消耗時期を算出するよりも正確に消耗時期を算出することができる。
【００１９】
本発明において、プリント順序設定部で設定されたオーダーのプリント処理の順番が変更された場合に、当該消耗品の消耗時期を再算出する第１再算出部をさらに備え、
表示制御部は、
第１再算出部によって再算出された消耗時期に基づいて、消耗品の操作予告情報を表示手段に表示させるように構成することは好ましい実施態様である。
【００２０】
この構成によれば、第１再算出部が、プリント順序設定部で設定されたオーダーのプリント処理の順番が変更された場合に（例えば、割り込み処理、急ぎのオーダーを受注した場合に）、当該消耗品の消耗時期を再算出する。そして、再算出された消耗時期に基づいて、消耗品の操作予告情報を表示手段に表示させることができる。これによって、オーダーの処理順序が変更されても、操作予告情報を適切なオーダーに関連付けて表示することができる。よって、オーダー変更前の操作予告情報がモニターに表示され続けることがないので、オペレータは、正確な操作予告情報を信じて、かかる操作等を実行できる。
【００２１】
また、本発明において、消耗時期以外に所定の消耗品に関する操作を行った場合に、当該消耗品の消耗時期を再算出する第２再算出部をさらに備え、
表示制御部は、
第２再算出部によって再算出された消耗時期に基づいて、消耗品の操作予告情報を表示手段に表示させるように構成することは好ましい他の実施態様である。
【００２２】
この構成によれば、第２再算出部が、消耗時期以外に所定の消耗品に関する操作を行った場合に、（例えば、１時間後の操作予告情報が表示されているにもかかわらず、すぐに操作する場合に）、当該消耗品の消耗時期を再算出する。そして、再算出された消耗時期に基づいて、消耗品の操作予告情報を表示手段に表示させることができる。よって、かかる消耗品の交換等の操作前の操作予告情報がモニターに表示され続けることがないので、オペレータは、次の操作予告情報を適切に知ることができる。
【発明を実施するための最良の形態】
【００２３】
本発明に係る写真処理システムの好適な実施形態を図面を用いて説明する。図１は、システム全体の構成を示す模式図である。
【００２４】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルムのコマ画像の画像データや、ネットワーク経由で送信されてくる画像データなどがあげられる。
【００２５】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末３０を操作するようにしてもよい。
【００２６】
記録装置４０は、写真処理装置１００が取得した画像データをＣＤ−Ｒ、ＤＶＤ−Ｒ等の記録メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００２７】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００２８】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２は、主としてネットワーク経由で送信されてくる画像データを取得する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００２９】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃが主たる機能として設けられており、これを図３を参照しながら説明する。なお、プレジャッジは必ず行なわなければならないものではなく、プレジャッジを省略してプリント処理を行うことも可能である。
【００３０】
図３は、プレジャッジを行なうためのモニター画面の構成例を示す図である。画面には、プリント処理の対象となるコマ画像が６コマごとに表示される。プレジャッジの対象となっているコマ画像は、画像選択枠３０で囲まれた状態となっている。コマ画像のコマ番号はコマ番号表示欄３１に表示される。写真プリントのプリントサイズについては、プリントサイズ表示欄３２に表示される。プリント枚数は、プリント枚数設定欄３３にて設定することができる。色補正データ設定欄３４と、濃度補正データ設定欄３５には、色や濃度の補正データを入力することができる。補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００３１】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００３２】
図３に示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。
【００３３】
ここで、ネガフィルムのスキャニング態様であるプレスキャンと本スキャンについて説明する。プレスキャンとは、現像済みネガフィルムの画像を粗い画素数で読み取る処理のことであり、前述のサムネイル画像を表示させるために行われる。プレジャッジを行う場合は、高解像度の画像データが不要であり、読み取り処理時間を短縮化するために、粗い画素数でスキャニングする。
【００３４】
本スキャンとは、ネガフィルムの各コマ画像を高解像度で読み取るための処理であり、実際に写真プリントを作成するために用いられる画像データである。画質のよい写真プリントを作成するために高解像度でコマ画像を読み取る。また、本スキャンの際には、プリント枚数が０と設定されたコマ画像については、読み取りを行わない。
【００３５】
モニター７は、プレジャッジを行なうための画面（図３参照）やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３６】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００３７】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００３８】
露光エンジン１２ａは、画像処理基板９の展開メモリから送信されてくるプリント用画像データを受け取り、このプリント用画像データに基づいて、ペーパーの乳剤面に画像を焼付露光する。露光エンジン１２ａとしては、特定の方式のものに限定されるものではなく、例えば、レーザーエンジン、ＣＲＴエンジン、ＰＬＺＴエンジンなどを用いることができる。
【００３９】
裏印字手段１２ｂは、ペーパーの裏面に、オーダー識別ＩＤ、コマナンバー、プリント処理済枚数、プリント要求枚数、補正テータ等をプリントする機能を有する。裏印字手段１２ｂは、例えば、ドットインパクトプリンタ、熱転写式プリンタ、インクジェットプリンタ等で実現される。  
【００４０】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００４１】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。オーダー制御部５のオーダーデータ削除部５ｃは、あるオーダーについての写真プリントが全て排出されたとセンサー制御部１７により検出された場合、そのオーダーについてのオーダーデータをスプーラ６ａから削除するようにする。
【００４２】
＜オーダー制御部の構成＞
オーダー制御部５は、プリント処理すべき画像データをオーダー単位に管理する機能を提供する。ここで１オーダーとは、フィルム１本分あるいは記録メディア１個分についてのプリント注文に係る画像データ群を指すものであるが、これに限定されるものではなく、１オーダーの概念はオペレータにより適宜設定することができる。オーダー制御部５は、通常、ソフトウェアで構成され、ＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００４３】
オーダー登録部５ａは、画像判定部４によりプレジャッジの終了したオーダーデータを記憶装置６に登録・保存する機能を有する。記憶装置６は概念的に、スプーラ６ａ（オーダーデータ保存部に相当）と呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００４４】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。ただし、オーダーデータのデータ量は大半が画像データにより決まるため、オーダーデータのデータ量は画像データのデータ量であると考えても問題はない。なお、ネガフィルムから取得した画像データの場合には、本スキャンの画像データのみならずプレスキャンの画像データも合わせてオーダーデータとして保存しておくことが好ましい。
【００４５】
プリント処理制御部５ｂは、プリント処理の対象となるオーダーのオーダーデータをプリント処理するように指令を与える。図４は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。
【００４６】
オーダーデータ削除部５ｃは、プリント処理が完了したオーダーデータをスプーラ６ａから削除する。これにより、スプーラ６ａの保存容量を確保できるようにする。データを削除する場合、スプーラ６ａのオーダーデータを完全に削除するようにしても良いし、後日の焼き増し処理の依頼に備えて、記憶部６ｂやその他の外部記憶装置にオーダーデータを移動するようにしてもよい。
【００４７】
プリント順序設定部５ｅは、オーダーデータをスプーラ６ａに登録するに際して、オーダーのプリント順序を優先度や受付順序に基づいて設定する。基本的には、受付順序が早いほど先にプリント処理がされる。図４に示す管理画面において、処理待ちオーダーのリストは、プリント処理がされる順番にオーダーがリスト表示されている。すなわち、一番上のオーダーが現在プリント処理中のオーダーであり、以下順番に繰り上がってプリント処理が行なわれていく。
【００４８】
手動順序設定部５ｆは、プリント順序設定部５ｅにより設定されたプリント順序をオペレータの手動操作により変更を可能にするための機能である。例えば、順番を変更したいオーダーを選択する。そして、マウスのドラッグ＆ドロップ操作により、変更したい位置に選択したオーダーを移動させることができる。このように、プリント順序設定部５ｅは、予め決められたルールに従い、自動的にプリント順序を設定するものであるが、手動順序設定部５ｆを設けることで、任意にプリント順序を変更することができる。
【００４９】
処理時間設定部５ｇは、各オーダーの仕上がり予想時間と顧客引渡し時間を設定する機能を有する。仕上がり予想時間とは、写真プリントの仕上がり予定時間のことであり、顧客引渡し時間については、商品としての写真プリントを顧客に引き渡すことが可能な時間である。納期を遵守するためには、仕上がり予想時間は顧客引渡し時間内に収まるように処理をする必要がある。なお、処理時間設定部５ｇは、オーダーの順番が変更された場合には、仕上がり予想時間を再計算する機能を有している。
【００５０】
消耗時期算出部５ｊは、プリントデータに基づいて、各種消耗品の消耗時期を算出する。ペーパーの消耗時期は、例えば、ペーパーマガジンから送り出されるペーパーの長さを検出し或いはセンサー１６で検出される写真プリントのプリントサイズ及びプリント累積枚数からペーパーの使用された長さを算出し、その長さが所定値以上になったら消耗時期として設定することで算出できる。また、現像液の交換（廃液回収）時期の場合、現像液をセットした時から例えば、４８時間とするように設定することで算出できる。また、現像液内を通過したペーパーの量（ペーパーの長さと幅のデータから算出される量）が所定値以上になったら消耗時期として設定することで算出できる。なお、ペーパー情報（ペーパーの長さと幅のデータ）は、ペーパーマガジンに識別情報が設けられ、マガジンを装置にセットしたら、その識別情報が読み取られ、ペーパー情報が認識される構成になっており、かかることは従来技術であるので詳細な説明はここで行わない。
【００５１】
また、現像液の補充液を供給した時から、所定のオーダー数を処理したら現像液の消耗（補充液供給を意味する）時期であると設定することで算出できる。また、インクジョットプリンタのインクを交換する場合に、所定のオーダー数を処理したらインクの消耗時期であると設定することで算出できる。その他、装置の消耗部品、定期メンテナンス等についても、消耗部品の取り付け時や定期メンテナンスの時から所定の期間が経過した時期（例えば、取り付け時、定期メンテナンス時から６ヶ月等）を算出することで消耗時期として算出できる。
【００５２】
また、プリントデータに基づいて、各種消耗品の消耗時期を算出することは望ましい実施形態である。プリントデータは、例えば、プリントサイズ、プリント枚数、感光材料の種類、ペーパーマガジンに収納されたペーパーのペーパー幅とその全長等のデータが例示される。
【００５３】
具体的な算出方法は以下の通りである。例えば、ペーパーの消耗時期は、ペーパーの残り量と処理されるオーダーの必要ペーパー量とから算出される。オーダーの必要ペーパー量は、オーダー内のコマ画像毎のプリントサイズ及びプリント枚数から算出される。ペーパーの残り量は、順次プリント処理されたオーダーの必要ペーパー量を減算して得られる。ペーパーの残り量が、所定値（例えば、プリントサイズＬ版のプリント可能枚数が２４枚、プリントサイズＥ判のプリント可能枚数が１２枚）以下であれば消耗時期として算出してもよい。或いは、残り量と次にプリント処理されるオーダーの必要ペーパー量を比較し、残り量のほうが大きい場合はそのままプリント処理され、残り量のほうが少ない場合には、消耗時期であると算出してもよく、適宜設定可能である。
【００５４】
なお、残り量とプリント可能枚数の関係は、ペーパー（幅、長さ）とプリントサイズ（縦、横）によって算出される。例えば、ペーパー（幅、長さ）が（８９ｍｍ、５ｍ）の場合、プリントサイズ（８９ｍ×１２７ｍｍ）の写真プリントは、最大３９枚のプリントが可能である。また、ペーパー（幅、長さ）が（１２７ｍｍ、２ｍ）の場合、プリントサイズ（８９ｍ×１２７ｍｍ）の写真プリントは、最大２２枚のプリントが可能である。また、ペーパー（幅、長さ）が（２５４ｍｍ、２ｍ）の場合、プリントサイズ（８９ｍ×１２７ｍｍ）の写真プリントは、２列でプリント処理できるので、最大４４枚のプリントが可能である。なお、この数値は、同じプリントサイズの場合の最大枚数であるので、プリントサイズが混在する場合は、各プリントサイズの送り長さに応じてペーパーの残り量が算出される。
【００５５】
また、現像液の処理能力の低下は、経験的にプリントサイズとプリント枚数の積に略比例することが分かっている。この観点から、現像液の廃液回収時期（消耗時期）を、プリントサイズとプリント枚数の積から算出することができる。例えば、プリントサイズとプリント枚数の積が所定値（例えば、１３５６万（８９×１２７×２４枚×５０オーダー分に相当する））以上となる場合に消耗時期であると算出される。
【００５６】
さらに、現像液は、処理能力の低下以外に、液量自体が減少（消耗）していく。この液量減少も経験的にプリントサイズとプリント枚数の積に略比例することが分かっている。そこで、現像液の補充時期（消耗時期に相当する）を、プリントサイズとプリント枚数の積から算出することができる。例えば、プリントサイズとプリント枚数の積が所定値（例えば、２７１万（８９×１２７×２４枚×１０オーダー分に相当する））以上となる場合に補充時期であると算出される。
【００５７】
また、インクジェットプリンタ１２ｂは、写真プリントの裏印字に用いられ、通常すべての写真プリントの裏面に、識別情報、補正データ等が印字される。よって、プリント枚数に略比例して、インクが消耗することが分かっている。そこで、インクの消耗時期を、プリント枚数から算出することができる。例えば、新しいインクを補充した時からの総プリント枚数が所定値（例えば、１０００枚）以上となる場合に、補充時期であると算出される。
【００５８】
また、装置の消耗部品の消耗は、経験的に、プリント処理累積回数（総プリント枚数）に略比例することが分かっている。そこで、消耗部品の消耗時期（交換時期）を、その部品を組み込んでからの総プリント枚数から算出することができる。例えば、その部品を組み込んでからの総プリント枚数が所定値（例えば、１万等）以上となる場合に、消耗時期であると算出される。消耗部品は、例えば、レーザー部品、センサー部品、搬送部品等が例示され、各々の部品ごとに消耗時期は異なるものである。
【００５９】
また、定期メンテナンスは、装置が正常に動作しているか否かを点検するために定期的に行われるものである。定期メンテナンスには、露光レーザーのレーザー出力校正、ＬＥＤランプの校正、センサーの校正、搬送手段の動作確認等が例示される。この定期メンテナンスで、消耗部品の交換がなされることもある。したがって、定期メンテナンスについてもその時期を算出するように構成することが好ましい。定期メンテナンスは、通常、６ヶ月、１年という間隔で行われるが、より正確に点検をするのであれば、一定期間ごとにメンテナンスを行うよりも、装置の稼動時間つまりプリント処理の累積回数を基準にすることが好ましい。そこで、定期メンテナンスの時期（消耗時期に相当する）を、直近の定期メンテナンスからのプリント処理の累積回数（総プリント枚数）から算出することができる。例えば、直近の定期メンテナンスからのプリント処理の累積回数（総プリント枚数）が所定値（例えば、５千等）以上となる場合に、定期メンテナンスの時期であると算出される。
【００６０】
表示制御部５ｋは、算出された消耗時期に基づいて、操作予告情報を表示手段（例えば、モニター７等）に表示する。具体的には、例えば、表示制御部５ｋは、算出された消耗時期の消耗品を示す操作予告情報を、予めメモリ（不図示のＲＯＭ等）に格納されている操作予告情報データ群から検索する。そして、表示制御部５ｋは、検索された操作予告情報を、プリント順序設定部５ｅにより設定されたプリント順序のオーダーと関連付けて表示する。図５に処理待ちオーダー表示領域に表示された操作予告情報の表示例を示す。図５に示すように、操作予告情報５１は、受付ナンバー「２３」のオーダーの行を指すように表示される。すなわち、当該オーダーのプリント処理後に消耗品の交換等を実行しなければならないことを意味している。操作予告情報５１は、ペーパー交換予告を意味している。また、操作予告情報５２は、現像液の補充予告を意味し、操作予告情報５３は、現像液の廃液回収予告を意味している。
【００６１】
以上の実施形態によれば、オペレータは、図５のオーダー管理画面の「仕上がり時間」を見て、その時間までに操作予告情報のあるオーダーが処理されるまで、装置から離れて、その操作のために事前準備可能であり、さらに、常に画面を監視することで消耗品の交換等のタイミングを注意する必要がなく、「仕上がり時間」までに安心して他の作業を行える。よって、システム全体の操作性、生産性が向上するものとなる。
【００６２】
（別実施形態）
ところで、オーダー管理画面で表示された登録されたオーダー順序は、変更可能である。つまり、図４、５に示すような順序でオーダー単位にプリント処理されるが、例えば、急ぎのオーダーが注文された場合には、次にプリント処理される予定の受付ナンバー「２２」のオーダーの前に、この急ぎのオーダーがプリント処理されるように、プリント順序設定部５ｅによって設定される。既に登録されたオーダーの受付ナンバーが「２９」であれば、急ぎのオーダーの受付ナンバーは「３０」として登録される。図６に示すように、受付ナンバー「３０」のオーダーが急ぎのオーダーとして登録されプリント処理が実行されるのが分かる。かかる場合において、第１再算出部５ｌは、急ぎのオーダーの必要ペーパー量をそのプリントサイズとプリント枚数から算出する。そして、その急ぎのオーダーの必要ペーパー量を含めて、ペーパーの消耗時期を再算出する。そして、再算出された消耗時期に基づいて操作予告情報５１の表示位置が変更される。すなわち、受付ナンバー「２３」を指していた操作予告情報５１は、受付ナンバー「２２」のオーダーの行を指すように表示される（図６参照）。操作予告情報５２、５３についても同様に、その消耗品の消耗時間が再度算出され、オーダー管理画面上に再度表示される（図６参照）。
【００６３】
また、急ぎのオーダー以外でも、手動順序設定部５ｆの機能によって、オーダー順序が入れ替わった場合、例えば、受付ナンバー「２４」と「２７」が入れ替わった場合に、消耗時期は再算出され、その消耗時期によって操作予告情報がオーダー管理画面上に再度表示される。
【００６４】
以上の実施形態によれば、オーダー順序が入れ替わったり、割り込みオーダーが生じても、再度、消耗時期が算出され、オーダー管理画面上に適切なオーダーに関連づけられて操作予告情報が表示される。よって、オペレータは、適切に再表示された操作予告情報を信じて、装置から離れ、他の作業を行える。
【００６５】
さらに、オーダー管理画面上に表示された、操作予告情報が示す時期（消耗時期）以外に、例えば、ペーパー交換、現像液の補充、廃液回収、部品交換、インクタンク交換等を行った場合、オーダー管理画面上の操作予告情報は表示制御部５ｋによって削除される。そして、第２再算出部５ｍは、その操作終了した時点のオーダーから、再度、該当する操作の消耗品の消耗時期を算出する。そして、表示制御部５ｋは、算出された消耗時期に応じたオーダーの行を指すように、操作予告情報をモニター７に表示する。
【００６６】
以上の実施形態によれば、操作予告情報が示す時期（消耗時期）以外に、消耗品に関する操作を行っても、再度、消耗時期が算出され、オーダー管理画面上に適切なオーダーに関連づけられて操作予告情報が表示される。よって、オペレータは、適切に再表示された操作予告情報を信じて、装置から離れ、他の作業を行える。
【図面の簡単な説明】
【００６７】
【図１】写真処理システムの構成を示す概念図
【図２】写真処理装置の機能を示すブロック図
【図３】プレジャッジ画面の構成例を示す図
【図４】オーダー管理画面の構成例を示す図
【図５】操作予告情報の表示例を示す図
【図６】操作予告情報の表示例を示す図
【符号の説明】
【００６８】
４        画像判定部
５        オーダー制御部
５ａ      オーダー登録部
５ｂ      プリント処理制御部
５ｃ      オーダーデータ削除部
５ｅ      プリント順序設定部
５ｆ      手動順序設定部
５ｊ      消耗時期算出部
５ｋ      表示制御部
５ｌ      第１再算出部
５ｍ      第２再算出部
６        記憶装置
６ａ      スプーラ
６ｂ      記憶部
２０      受付端末
４０      記録装置
１００    写真処理装置
【図１】
2007095003.tif 000003
【図２】
2007095003.tif 000004
【図３】
2007095003.tif 000005
【図４】
2007095003.tif 000006
【図５】
2007095003.tif 000007
【図６】
2007095003.tif 000008